(57)【要約】【課題】栄養繁殖が強く、種子繁殖が困難である日本芝類のような在来種の植物群を成立させることができる法面緑化吹付け工法を提供する。【解決手段】日本芝類のように、栄養繁殖した在来種の植物群が成立しているマットを３〜１０ｃｍ角に裁断して成る裁断片と、成育基盤材と、肥料と、接合材と、水とを混合し、得られた混合物を法面に吹付ける在来種の植物群を成立させる法面緑化吹付け工法。【選択図】      なし【特許請求の範囲】
【請求項１】
栄養繁殖した在来種の植物群が成立しているマットを３〜１０ｃｍ角に裁断して成る裁断片と、成育基盤材と、肥料と、接合材と、水とを混合し、得られた混合物を法面に吹付けることを特徴とする、在来種の植物群を成立させる法面緑化吹付け工法。
【請求項２】
前記在来種の植物群が日本芝類である請求項１の法面緑化吹付け工法。
【請求項３】
前記裁断片が、野山に自生する植物群を含む表土の裁断片である請求項１の法面緑化吹付け工法。
【請求項４】
前記成育基盤材が、バーク堆肥または／および粉砕された伐採樹木である請求項１の法面緑化吹付け工法。
【請求項５】
前記接合材が、灰成分１００質量部に対し、硫酸アルミニウム１〜２０質量％、硫酸カルシウム１〜２０質量％、シリカ粉末１〜２０質量％、セメント成分１０〜８０質量％から成る添加剤１０〜５０質量部を混合して成る混合物；灰成分１００質量部に対し、硫酸アルミニウム１〜２０質量％、硫酸カルシウム１〜２０質量％、シリカ粉末１〜２０質量％、セメント成分１０〜８０質量％から成る添加剤１０〜５０質量部、および、セラミックス粉末１０質量部以下を混合して成る混合物；高分子系樹脂；または、普通セメントである請求項１の法面緑化吹付け工法。
【発明の詳細な説明】
【０００１】
【発明の属する技術分野】
本発明は法面緑化吹付け工法に関し、更に詳しくは、吹付け後に在来種の植物群を成立させることができる法面緑化吹付け工法に関する。
【０００２】
【従来の技術】
崖面のような法面の表層を保護し、同時に当該法面を緑化させるための法面緑化吹付け工法には、大別して、種子吹付け工法、客土吹付け工法、厚層基材吹付け工法、およびリサイクルチップ吹付け工法がある。
これらの工法はいずれも、大きくいって、植物種子、成育基盤材、肥料、接合材、および水などを所定の割合で混合して成るスラリー状混合物を、法面に吹付けて施工されている。
【０００３】
その場合、用いる植物種子としては、そのほとんどが外国産（外来種）の牧草系種子である。その理由は、この間、日本の国土開発が急速に進行して必要とされる法面工事の面積は広大となり、それを国産（在来種）種子の供給でまかなうことは経済合理性にそぐわないからである。
法面緑化吹付け工法におけるこのような外来種の種子の積極的な導入の結果、最近では、日本国内の植物生態系では、遺伝子レベルの問題、新たな病気の発生、競合淘汰の問題などが発生し始め、生態系破壊が問題視されるまでになってきている。
【０００４】
一方、例えば、野芝に代表される日本芝類は日本古来の在来種であるため、これを使用しても、上記したような生態系破壊という問題は起こらない。しかも、日本芝類は、緻密な面を構成するため、法面の表面における侵食防止を目的とした場合には、非常に優れた効果を発揮する。
しかしながら、日本芝類は栄養繁殖が強く、法面への吹付け工法によって種子から成立させる（種子繁殖させる）ことは非常に困難であるという問題を抱えている。
【０００５】
このようなことから、日本芝類を用いて法面緑化を施工する場合には、例えば野草芝を人工的に充分に繁殖させた地面の表層部分を剥ぎ取り、それを、２０〜３０ｃｍ角程度の四角形に裁断し、得られた製品マットを作業者が１枚１枚法面に貼り付けるという張芝工法が実施されている。
【０００６】
【発明が解決しようとする課題】
しかしながら、上記した張芝工法は、盛土法面に対する緑化工法であり、養分や根の成育ができる土壌層が少ないか、ほとんど存在しない切土法面に対しては適用することができない。
本発明は、上記した問題を解決し、例えば日本芝類のように、種子繁殖が困難である在来種の植物群であっても、吹付け工法で当該植物群を成立させて法面、とりわけ切土法面の緑化を可能にする法面緑化吹付け工法の提供を目的とする。
【０００７】
【課題を解決するための手段】
本発明者らは、上記した目的を達成するために、植物成育基盤を吹付け工法で造成することを前提にして、種子の代替品に関する検討を加えたところ、日本芝類に代表される在来種の植物群を栄養繁殖させたマットをある大きさに裁断して、それを種子の代替品にすると、吹付け施工時に安定した造成基盤が構築され、上記植物群の以後の成長にとっても有効であるとの事実を見出し、本発明の吹付け工法を開発するに至った。
【０００８】
すなわち、本発明の在来種の植物群を成立させる法面緑化吹付け工法は、栄養繁殖した在来種の植物群が成立しているマットを３〜１０ｃｍ角に裁断して成る裁断片と、成育基盤材と、肥料と、接合材と、水とを混合し、得られた混合物を法面に吹付けることを特徴とし、とくに、前記在来種の植物群が日本芝類である、請求項１の法面緑化吹付け工法が提供される。
【０００９】
【発明の実施の形態】
本発明の工法では、種子に代わって、栄養繁殖した在来種の植物群が成立しているマットを裁断した裁断片が用いられる。その場合、植物群としては、日本芝類であることが好適である。
また、裁断片としては、野山などに自生する植物群を含む表土を剥ぎ取り、それを裁断したものを用いることもできる。
【００１０】
この裁断片の大きさは、３〜１０ｃｍ角の四角形になっていることが必要である。この大きさが３ｃｍ角より小さい場合は、後述する吹付け施工時に、吹付け機および圧送ホースの中で砕けて更に小さくなってしまい、そのため、植物群の育苗としての機能を充分に発揮できなくなる。
また、１０ｃｍ角より大きい場合は、吹付け施工時の圧送過程で圧送ホースに詰まるという問題が起こり、施工性に難点が生ずるとともに、造成された成育基盤の品質低下が起こる。
【００１１】
裁断片の好ましい大きさは３〜５ｃｍ角である。
施工に際しては、上記した裁断片と、成育基盤材と、肥料と、接合材と、水との所定量を混合してスラリー状混合物を調製し、これを法面に吹付ける。
例えば、客土吹付け工法を実施する場合には、上記した各成分の所定量を同時にポンプ式の客土吹付け機に投入して混合し、得られたスラリー状の客土を、空気圧縮機と接続しているノズルから法面に吹付ける。その吹付け面の厚みは１〜３ｃｍ程度であればよい。そして、この客土吹付け工法は、主として、勾配が緩やかな土砂面や礫質土面に適用する。
【００１２】
また、厚層基材吹付け工法を実施する場合には、上記した裁断片、成育基盤材、肥料、接合材を、空気圧縮機が接続されているモルタル吹付け機に投入してそれを撹拌し、更にここに水を添加してスラリーを調製し、それをノズルから法面に吹付ける。その場合の吹付け面の厚みは３〜１５ｃｍ程度に設定する。そして、この厚層基材吹付け工法は、主として、勾配の急な礫質土面や岩盤面などに適用する。
【００１３】
ここで、成育基盤材としては、従来から使用されているものを用いることができるが、とくに、広葉樹の樹皮に鶏糞や尿素などを添加して長時間堆積することにより発酵させたバーク堆肥や、粉砕された伐採樹木が好適である。これらは、裁断片の植物群の成立にとっては、好適な育苗として機能するからである。
また、接合材としては、従来から用いられている高分子系樹脂や、ポルトランドセメント、高炉セメントのような普通セメントであってもよいが、とくに、特許第２９３５４０８号に記載されている緑化・土壌安定化無機質材料であることが好ましい。
【００１４】
すなわち、硫酸アルミニウム１〜２０質量％、硫酸カルシウム１〜２０質量％、シリカ粉末１〜２０質量％、セメント成分１０〜８０質量％から成る添加剤を、フライアッシュ、製紙スラジの焼却灰などの灰成分１００質量部に対し、１０〜５０質量部混合して成る混合物、またはこれに更にセラミックス粉末１０質量部以下を混合して成る混合物を使用することが好ましい。
【００１５】
この材料を用いると、材料中の硫酸アルミニウムと硫酸カルシウムの働きにより、灰成分やクリンカアッシュとの間でエトリンジャイトやケイ酸カルシウム水和物のような自硬性水和物が迅速に形成され、基盤材の構成粒子は、多孔質で保水性と通気性に富む団粒から成る吹付け面を構成し、裁断片に成立している植物群の成育に適した環境が形成されるからである。
【００１６】
また、この材料を接合材として用いると、法面が緩勾配であればラス網張工などの補助施工を省略することができ、経済的なメリットを得ることができる。
なお、肥料としては、成立させる植物群の種類などとの関係で選定し、その所定量を混合すればよい。
【００１７】
【発明の効果】
以上の説明で明らかなように、本発明の工法によれば、栄養繁殖の強い日本芝類のような在来種の植物群を吹付け面に成立させることができる。したがって、本発明の工法は、生態系の保全、環境の保全の面から極めて有用な法面緑化吹付け工法である。